(57)【特許請求の範囲】
【請求項１】
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられた物品支持脚のための脚止め具であり、前記ボルト回し具係合部に脱離可能に外嵌可能の二股部と、前記物品支持基体に固定されるべき固定部と、前記二股部と前記固定部とにわたって該二股部及び固定部と一体的に形成された中間部とを含んでいる脚止め具であって、前記二股部は、二股部本体の内側面にそって該二股部本体の一方の部分から該二股部本体の奥部へ、さらに該奥部から該二股部本体の他方の部分へ延在するとともに該二股部本体に連結された屈曲帯状板バネを含んでおり、前記屈曲帯状板バネは、前記二股部を前記物品支持脚の前記ボルト回し具係合部に外嵌させることで弾性変形するとともに、前記二股部本体の一方の部分にそった部分と他方の部分にそった部分とで前記ボルト回し具係合部を弾性復元力で挟着することができるバネであることを特徴とする物品支持脚のための脚止め具。
【請求項２】
前記屈曲帯状板バネは前記二股部本体の前記一方の部分及び他方の部分のそれぞれの先端外面上へ回り込んだ部分を含んでおり、該回り込んだ部分が該二股部本体の先端外面に連結されるとともに前記二股部本体奥部に臨む部分が該奥部に連結されることで合計３箇所で二股部本体に連結されている請求項１記載の物品支持脚のための脚止め具。
【請求項３】
前記屈曲帯状板バネは前記二股部本体の前記一方の部分及び他方の部分のそれぞれの先端外面上へ回り込んだ部分を含んでおり、該回り込んだ部分が該二股部本体の先端外面に連結されることで合計２箇所で二股部本体に連結されている請求項１記載の物品支持脚のための脚止め具。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚用の固定具、特に、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体（物品を配置する建物の床、工場等の床など）上に配置することで該物品を該物品支持基体上に支持することができ、前記ボルトの前記ボルト台座に隣り合う部位にボルト回し具係合部が形成されている物品支持脚のための脚止め具に関する。
【背景技術】
【０００２】
この種の物品支持脚の例を図４に示す。図４に示す物品支持脚１は、雄ねじ部１１１を有するボルト１１及びボルト１１を回転自在に立設したボルト台座１２を含んでいる。ボルト１１のボルト台座１２に隣り合う部位（図示例ではボルト台座１２の直上部位にボルト回し具係合部１３を設けてある。
【０００３】
ボルト回し具係合部１３は、ボルト１１に後付けされたものでもよいが、図示例ではボルト１１と一体的に形成されており、平面形状が６角形のものである。側周面に互いに平行な面部分を有する６角形ボルト頭や６角形ナットなどに係合して回し操作できるスパナ型レンチ、回し対象物を掴む顎の間隔を調節できる所謂モンキーレンチ等のボルト回し具（図示省略）をボルト回し具係合部１３に係合させてボルト１１を回し操作できる。
【０００４】
ボルト台座１２はこの例では平面から見た形状が円形であり、碗を伏せた如き形状、構造のものである。ボルト１１はこの例ではボルト回し具係合部１３の下へも若干突出しており、その突出部１１２がボルト台座１２の頂部貫通孔１２１を貫通して台座１２の下面側凹所１２２へ突出している。
【０００５】
突出部１１２に抜け止め部材１４が取り付けられていることで、ボルト１１は台座１２から抜け止めされている。抜け止め部材１４は図示例では突出部１１２に螺合させた６角形ナットであるが、他の抜け止め部材、例えば、所謂Ｃ形等のスナップリング、突出部１１２に螺合する６角形ナット以外の部材などであることもある。
【０００６】
この物品支持脚１は、図４に例示するように、被支持物品３に設けられたボルト螺合部位３１にボルト１１の雄ねじ部１１１を螺合させ、ボルト螺合部位３１からのボルト突出量を調整するとともに、ボルト台座１２を物品支持基体（物品を配置する建物の床、工場等の床など）４上に配置することで物品３を物品支持基体４上に高さ調節して支持することができる。ボルト１１は、必要に応じ、ボルト回し具係合部１３に図示省略のスパナ型レンチ等のボルト回し具を係合させて回し操作できる。
【０００７】
以上説明した類の物品支持脚は例えば特許第３０３５４７４号公報や特許第３１２９９０５号公報に記載されている。
これら特許公報に記載された物品支持脚ではボルト回し具係合部とボルト台座との間にスラストベアリングが嵌装されている。
【０００８】
以上説明した物品支持脚１によると、ボルト台座１２は物品支持基体４上に配置されているだけであるから、必ずしもその位置が安定しているとは言い難い。例えば、物品３の傍を他の物品が搬送されるとき、それが衝突して位置ずれしたり、物品３の運転に振動を伴う場合、その振動のために位置ずれしたりする等のおそれがある。
【０００９】
そのため、図４及び図５に例示するごとき物品支持脚用の脚止め具が提案され、実用に供されている。
【００１０】
図４及び図５に示す脚止め具２’は、前記のボルト回し具係合部１３に脱離可能に外嵌可能の二股部２１’と、物品支持基体４に固定されるべき固定部２２’と、二股部２１’と固定部２２’とに跨がって二股部２１’及び固定部２２’と一体的に形成された中間部２３’とを含んでいる。
【００１１】
二股部２１’は、内側面が平行な対をなす面２１１’、２１２’と、それらをつなぐ、平面からみると円弧形状の奥側面２１３’とで形成されているものである。
【００１２】
図４に例示するように被支持物品３を物品支持基体４の定位置に支持している物品支持脚１は、脚止め具２’の二股部２１’をボルト回し具係合部１３に外嵌係合する一方、脚止め具２’の固定部２２’をその孔２２ｈ’に通したアンカーボルト５で基体４に固定することで、前記定位置により安定的に固定されるとともにボルト回し具係合部１３の不測の回動が防止され、それだけ安定的に物品３を支持することができる。
【先行技術文献】
【特許文献】
【００１３】
【特許文献１】特許第３０３５４７４号公報
【特許文献２】特許第３１２９９０５号公報
【発明の概要】
【発明が解決しようとする課題】
【００１４】
前記した従来タイプの脚止め具２’は、その二股部２１’を物品支持脚１のボルト回し具係合部１３に嵌合させる操作を容易化するため、例えば、ボルト回し具係合部１３が図４、図５の係合部１３のように、二股部２１’が外嵌係合できる互いに平行な面部分１３１、１３１（図４参照）を有するものである場合、二股部２１’の対向平行面２１１’、２１２’間の間隔Ａは、係合部１３の平行面部分１３１、１３１の間隔ｄより若干大きくしてある。例えば、間隔ｄが２４ｍｍとすると、間隔Ａは２４．５ｍｍ〜２５ｍｍ程度である。
【００１５】
そのため、脚止め具２’の二股部２１’と物品支持脚１のボルト回し具係合部１３との間に隙間があり、それにより二股部２１’が係合部１３に対してガタつくおそれがある。しかしそのようなガタツキは抑制して物品支持脚１をより定位置に安定化させることが好ましい。
【００１６】
そこで本発明は、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための脚止め具であり、前記ボルト回し具係合部に脱離可能に外嵌可能の二股部と、前記物品支持基体に固定されるべき固定部と、前記二股部と前記固定部とにわたって該二股部及び固定部と一体的に形成された中間部とを含んでいる脚止め具であって、次の利点を有する脚止め具を提供することを課題とする。
すなわち、従来の同種の脚止め具と比較すると、二股部をガタツキが抑制される状態で物品支持脚のボルト回し具係合部に嵌めることができ、それにより物品支持脚を物品支持基体の定位置に安定化させることができるとともにボルト回し具係合部の不測の回動をより確実に阻止でき、それらにより全体として安定的に物品支持脚に被支持物品を支持させておくことができる脚止め具である。
【課題を解決するための手段】
【００１７】
前記課題を解決するため本発明は、
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられた物品支持脚のための脚止め具であり、前記ボルト回し具係合部に脱離可能に外嵌可能の二股部と、前記物品支持基体に固定されるべき固定部と、前記二股部と前記固定部とにわたって該二股部及び固定部と一体的に形成された中間部とを含んでいる脚止め具であって、前記二股部は、二股部本体の内側面にそって該二股部本体の一方の部分から該二股部本体の奥部へ、さらに該奥部から該二股部本体の他方の部分へ延在するとともに該二股部本体に連結された屈曲帯状板バネを含んでおり、前記屈曲帯状板バネは、前記二股部を前記物品支持脚の前記ボルト回し具係合部に外嵌させることで弾性変形するとともに、前記二股部本体の一方の部分にそった部分と他方の部分にそった部分とで前記ボルト回し具係合部を弾性復元力で挟着することができるバネである物品支持脚のための脚止め具を提供する。
【００１８】
本発明に係る脚止め具によると、従来の脚止め具と同様に、例えば図４に示されるように被支持物品を物品支持基体（床等）の定位置に支持している物品支持脚のボルト回し具係合部に脚止め具の二股部を外嵌係合させる一方、該脚止め具の固定部をそのアンカーボルト通し孔に通したアンカーボルトで物品支持基体に固定することができる。
【００１９】
しかし本発明に係る脚止め具によると、その二股部本体の内側面にそって上記のとおり屈曲帯状板バネを配置してあるから、二股部を物品支持脚のボルト回し具係合部に外嵌係合させるとき、該屈曲帯状板バネをその弾力に抗して変形させつつ外嵌係合させることになり、該二股部がボルト回し具係合部に外嵌係合した状態では、弾性変形した屈曲帯状板バネの二股部本体の一方の部分にそった部分と他方の部分にそった部分とで、板バネ弾性復元力のもとにボルト回し具係合部がしっかりと挟着される。
【００２０】
このように、本発明に係る脚止め具は、従来の同種の脚止め具と比較すると、二股部本体の内側面にそって配置した屈曲帯状板バネにより二股部をガタツキが抑制される状態で物品支持脚のボルト回し具係合部にしっかりと外嵌係合させることができ、それにより従来の脚止め具より物品支持脚を物品支持基体の定位置に安定化させることができるとともにボルト回し具係合部の不測の回動をより確実に阻止でき、それらにより全体として安定的に物品支持脚に被支持物品を支持させておくことができる。
【００２１】
前記屈曲帯状板バネは、前記二股部本体に外れないように連結されるのであるが、少なくとも１箇所で、さらに好ましくは２箇所で、さらに好ましくは３箇所で連結する例を挙げることができる。
【００２２】
２箇所で二股部本体に連結する場合の例として、前記屈曲帯状板バネが前記二股部本体の前記一方の部分及び他方の部分のそれぞれの先端外面上へ回り込んだ部分を含んでおり、該回り込んだ部分が該二股部本体の先端外面に連結されることで合計２箇所で二股部本体に連結される場合を挙げることができる。
【００２３】
屈曲帯状板バネを二股部本体に対しより安定的に配置するために３箇所で二股部本体に連結する場合の例として、前記屈曲帯状板バネが前記二股部本体の前記一方の部分及び他方の部分のそれぞれの先端外面上へ回り込んだ部分を含んでおり、該回り込んだ部分が該二股部本体の先端外面に連結されるとともに前記二股部本体奥部に臨む部分が該奥部に連結されることで合計３箇所で二股部本体に連結される場合を挙げることができる。
【発明の効果】
【００２４】
以上説明したように本発明によると、
雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための脚止め具であり、前記ボルト回し具係合部に脱離可能に外嵌可能の二股部と、前記物品支持基体に固定されるべき固定部と、前記二股部と前記固定部とにわたって該二股部及び固定部と一体的に形成された中間部とを含んでいる脚止め具であって、次の利点を有する脚止め具を提供することができる。
すなわち、従来の同種の脚止め具と比較すると、二股部をガタツキが抑制される状態で物品支持脚のボルト回し具係合部に嵌めることができ、それにより物品支持脚を物品支持基体の定位置に安定化させることができるとともにボルト回し具係合部の不測の回動をより確実に阻止でき、それらにより全体として安定的に物品支持脚に被支持物品を支持させておくことができる脚止め具である。
【図面の簡単な説明】
【００２５】
【図１】本発明に係る物品支持脚のための脚止め具を物品支持脚のボルト回し具係合部とともに示す平面図である。
【図２】図１の脚止め具をボルト回し具係合部に外嵌係合させた状態の平面図である。
【図３】図１及び図２の脚止め具の使用状態例を示す側面図である。
【図４】従来の脚止め具例の使用状態例を示す側面図である。
【図５】図４に示す物品支持脚例とその脚止め具例を示す平面図である。
【発明を実施するための形態】
【００２６】
以下、本発明の実施の形態を図面を参照して説明する。
図１、図２は本発明に係る物品支持脚のための脚止め具の１例を示している。
図１は脚止め具２を図３、図４に示す物品支持脚１のボルト回し具係合部１３へ外嵌係合させる前の状態で示す平面図である。
図２は脚止め具２を図３、図４に示す物品支持脚１のボルト回し具係合部１３へ外嵌係合させた状態で示す平面図である。
【００２７】
脚止め具２は、物品支持脚１のボルト回し具係合部１３に脱離可能に外嵌可能の二股部２１と、物品支持基体４（図３参照）に固定されるべき固定部２２と、二股部２１と固定部２２とにわたってそれらと一体的に形成された中間部２３とを含んでいる。
【００２８】
二股部２１と固定部２２との間には物品支持脚１のボルト台座１２の高さに略相当する段差があり、中間部２３はこの段差を保持する傾斜姿勢で二股部２１及び固定部２２とに跨がってそれらと一体的に形成されている。
【００２９】
固定部２２には、アンカーボルトを通す孔２２ｈが形成されている。
二股部２１は、二股部本体２１０に屈曲帯状板バネ２４を配設したものである。
【００３０】
二股部本体２１０は、一方の部分２１１、これと対をなす他方の部分２１２及びそれらを繋ぐ奥部分２１３を含んでいる。部分２１１、２１２のそれぞれの内側面は平坦であり、互いに平行である。奥部分２１３の内側面は部分２１１、２１２の内側面に連続し、平面から見ると円弧形状を呈している。
【００３１】
屈曲帯状板バネ２４は、二股部本体２１０の一方の部分２１１の内側面にそって二股部本体２１０の奥部分２１３の方へ延びる部分２４１、該部分に連続し、奥部分２１３に臨む部分２４３及び該部分に連続し二股部本体２１０の他方の部分２１２の内側面にそって延びる部分２４２を含んでいる。
【００３２】
バネ部分２４１、２４２のそれぞれは二股部本体２１０の対をなしている部分２１１、２１２のそれぞれの先端外面上へ回り込んだ部分２４１ａ、２４２ａを含んでいる。それら部分２４１ａ、２４２ａで二股部本体部分２１１、２１２のそれぞれの先端外面に連結されているとともにバネ部分２４３の中央部分で二股部本体の奥部分２１３に連結されている。この例ではこのように合計３箇所で二股部本体に連結されている。
【００３３】
バネ２４の前記各箇所での連結は螺子止め等の止め部材を用いて行われてもよいが、本例では溶接にて連結されている。
なお、図示はしていないが、バネ部分２４３の二股部本体奥部分２１３への連結を省略して残りの２箇所だけで連結してもよいが、図示例ではバネ２４を二股部本体２１０により安定的に配置するために前記のように３箇所で連結している。
【００３４】
以上説明した脚止め具２によると、従来の脚止め具と同様に例えば図３に示されるように被支持物品３を物品支持基体（床等）４の定位置に支持している物品支持脚１のボルト回し具係合部１３に、従来の脚止め具２’の場合と同様に二股部２１を外嵌係合させる一方、固定部２２をそのアンカーボルト通し孔２２ｈに通したアンカーボルト５で物品支持基体４に固定することができる。
【００３５】
しかし脚止め具２によると、その二股部本体２１０の内側面にそって上記のとおり屈曲帯状板バネ２４を配置してあるから、二股部２１を物品支持脚１のボルト回し具係合部１３に外嵌係合させるとき、板バネ２４をその弾力に抗して変形させつつ外嵌係合させることになる。二股部２１がボルト回し具係合部１３に外嵌係合した状態では、弾性変形した板バネ２４の部分２４１、２４２（二股部本体２１０の対部分２１１、２１２にそった部分２４１、２４２）が、板バネ２４の弾性復元力のもとにボルト回し具係合部１３をしっかりと挟着する。
【００３６】
このように、脚止め具２は、従来の同種の脚止め具２’と比較すると、二股部本体２１０の内側面にそって配置された屈曲帯状板バネ２４により二股部２１がガタツキが抑制される状態で物品支持脚１のボルト回し具係合部１３にしっかりと外嵌係合することができ、それにより従来の脚止め具２’より物品支持脚１を物品支持基体４の定位置に安定化させることができるとともにボルト回し具係合部１３の不測の回動をより確実に阻止でき、それらにより全体として安定的に物品支持脚１に被支持物品３を支持させておくことができる。
【産業上の利用可能性】
【００３７】
本発明は、雄ねじを形成したボルトがボルト台座に回転自在に立設されており、該ボルトの雄ねじ部分を被支持物品のボルト螺合部位に螺合させ、該ボルト螺合部位からのボルト突出量を調整するとともに該ボルト台座を物品支持基体上に配置することで該物品を該物品支持基体上に支持することができ、前記ボルトの前記ボルト台座に隣り合う部位にボルト回し具係合部が設けられている物品支持脚のための、該ボルト回し具係合部に外嵌係合する脚止め具を提供することに利用できる。
【符号の説明】
【００３８】
１  物品支持脚
１１  ボルト
１２  ボルト台座
１３  ボルト回し具係合部
１３１  係合部１３の平行面
２、２’  脚止め具
２１、２１’  二股部
２１０  二股部本体
２１１  二股部本体の一方の部分
２１２  二股部本体の他方の部分
２１３  二股部本体の奥部分
２２、２２’  固定部
２２ｈ、２２ｈ’  アンカーボルト通し孔
２３、２３’  連結部
２４  屈曲帯状板バネ
２４１、２４２、２４３  バネ２４の部分
２４１ａ、２４２ａ  バネ２４の二股部先端外面への回り込み部分
３  被支持物品
４  物品支持基体
５  アンカーボルト
【図１】
0005474730.tif 000002
【図２】
0005474730.tif 000003
【図３】
0005474730.tif 000004
【図４】
0005474730.tif 000005
【図５】
0005474730.tif 000006